(57)【要約】      （修正有）【課題】組み立てが容易であり、且つ、組み立てた状態が容易に解かれ難い構造を有したメガホンを提供する。【解決手段】単一の紙製シートによって形成されたメガホンＡであり、差し込み用スリット１１を有したメガホン本体１と、メガホン本体１の他方の端縁から外方に突出して設けられた係合突片とを備えている。係合突片が、片持ち片とを備え、片持ち片とメガホン本体１との間に、引っ掛け用スリットＳが形成されている。組立完了状態において引っ掛け用スリットＳと差し込み用スリット１１の周縁部とが係わり合っている。このため、組み立てが容易であり、且つ、組み立てた状態が容易に解かれ難い構造を有したメガホンを提供することができる。【選択図】図１
0003201633.tif 000002
【実用新案登録請求の範囲】
【請求項１】
単一の紙製シートによって形成されたメガホンであって、
展開状態において扇状をなしており、組立完了状態において前の開口部が後の開口部よりも大きな円筒状をなし、且つ、一方の端縁の近傍に差し込み用スリットを有したメガホン本体と、
前記メガホン本体の他方の端縁から外方に突出して設けられた係合突片とを備えてなり、
前記係合突片が、前記他方の端縁から連続して延びた突片本体と、この突片本体における後側の端縁から連続して延び前記突片本体に片持ち的に支持された片持ち片とを備えており、
前記片持ち片と前記メガホン本体との間に、引っ掛け用スリットが形成されており、前記組立完了状態において前記引っ掛け用スリットと前記差し込み用スリットの周縁部とが係わり合っているメガホン。
【請求項２】
前記差し込み用スリットが、前記前の開口部と後の開口部との間を連通する方向に沿って延びるとともに前記係合突片の幅寸法よりも長い寸法に設定された第一のスリット構成部と、この第一のスリット構成部に連続して設けられ当該第一のスリット構成部の端部から前記一方の端縁側に向かって延びた第二のスリット構成部とを備えており、
前記引っ掛け用スリットの基端部分が、前記第二のスリット構成部の周縁部と係わり合うように構成されている請求項１記載のメガホン。
【請求項３】
前記引っ掛け用スリットの基端部分が、丸孔状に形成されている請求項１又は２記載のメガホン。
【請求項４】
前記メガホン本体が、外面に印刷により表示物を表示させるための印刷領域を備えている請求項１、２又は３記載のメガホン。
【請求項５】
前記メガホン本体における後の開口部の開口端縁に、対をなす延出片が設けられている請求項１、２、３又は４記載のメガホン。
【請求項６】
前記メガホン本体における紙目が、前記前の開口部と後の開口部との間を連通する方向に沿って延びるように設定されている請求項１、２、３、４又は５記載のメガホン。
【考案の詳細な説明】
【技術分野】
【０００１】
本考案は、スポーツ観戦等において好適に用いられるメガホンに関する。
【背景技術】
【０００２】
従来から、拡声する機能や打撃音を発生する機能を発揮し得るメガホンが周知である。一般に、この種のメガホンは合成樹脂により作られており、円錐形状に近似した筒状をなしている。従来のメガホンは、不使用時においてコンパクトに収納することができないので、使用の前後において保管場所を広く確保しておかなければならないという不具合がある。
【０００３】
以上の事情から、近時、紙製のシート体を曲げて、その一端縁と他端縁とを連結させて、メガホンの形状を形成するようにしたものが検討されている（例えば、特許文献１を参照）。ところが、従来のこの種のものは、一端縁と他端縁とを係わり合わせる構造が複雑で分かりにくいものとなっていたり、一端縁と他端縁とを係わり合わせる構造が極めて単純なために両者の係わり合いが解かれ易くなっていたりするという不具合が生じていた。
【先行技術文献】
【特許文献】
【０００４】
【特許文献１】特許第３６５５６００号公報
【考案の概要】
【考案が解決しようとする課題】
【０００５】
本考案は、このような課題に着目してなされたものであって、組み立て易く、且つ、組み立てた状態が解かれ難い構造を有したメガホンを提供することにある。
【課題を解決するための手段】
【０００６】
すなわち、本考案は、次の構成をなしている。
【０００７】
請求項１に係る考案は、単一の紙製シートによって形成されたメガホンであって、展開状態において扇状をなしており、組立完了状態において前の開口部が後の開口部よりも大きな円筒状をなし、且つ、一方の端縁の近傍に差し込み用スリットを有したメガホン本体と、前記メガホン本体の他方の端縁から外方に突出して設けられた係合突片とを備えてなり、前記係合突片が、前記他方の端縁から連続して延びた突片本体と、この突片本体における後側の端縁から連続して延び前記突片本体に片持ち的に支持された片持ち片とを備えており、前記片持ち片と前記メガホン本体との間に、引っ掛け用スリットが形成されており、前記組立完了状態において前記引っ掛け用スリットと前記差し込み用スリットの周縁部とが係わり合っているメガホンである。
【０００８】
請求項２に係る考案は、前記差し込み用スリットが、前記前の開口部と後の開口部との間を連通する方向に沿って延びるとともに前記係合突片の幅寸法よりも長い寸法に設定された第一のスリット構成部と、この第一のスリット構成部に連続して設けられ当該第一のスリット構成部の端部から前記一方の端縁側に向かって延びた第二のスリット構成部とを備えており、前記引っ掛け用スリットの基端部分が、前記第二のスリット構成部の周縁部と係わり合うように構成されている請求項１記載のメガホンである。
【０００９】
請求項３に係る考案は、前記引っ掛け用スリットの基端部分が、丸孔状に形成されている請求項１又は２記載のメガホンである。
【００１０】
請求項４に係る考案は、前記メガホン本体が、外面に印刷により表示物を表示させるための印刷領域を備えている請求項１、２又は３記載のメガホンである。
【００１１】
ここで、「表示物」とは、文字、図形、記号、或いは、絵画や写真など、見る者に対して、何らかの外観を認識させ得るものであればよい。
【００１２】
請求項５に係る考案は、前記メガホン本体における後の開口部の開口端縁に、対をなす延出片が設けられている請求項１、２、３又は４記載のメガホンである。
【００１３】
請求項６に係る考案は、前記メガホン本体における紙目が、前記前の開口部と後の開口部との間を連通する方向に沿って延びるように設定されている請求項１、２、３、４又は５記載のメガホンである。
【考案の効果】
【００１４】
以上説明したように本考案によれば、組み立て易く、且つ、組み立て状態が解かれ難い構造を有したメガホンを提供することができる。
【図面の簡単な説明】
【００１５】
【図１】本考案の一実施形態を示す斜視図。
【図２】同実施形態を示す展開図。
【図３】同実施形態における組立過程を説明するための説明図。
【図４】同実施形態における組立過程を説明するための説明図。
【図５】同実施形態における組立過程を説明するための説明図。
【図６】同実施形態における組立完了状態の一態様を説明するための部分拡大図。
【図７】同実施形態における組立完了状態の一態様を説明するための部分拡大図。
【考案を実施するための形態】
【００１６】
以下、本考案の一実施形態を、図１〜７を参照して説明する。
【００１７】
この実施形態は、本考案を、スポーツ観戦時の応援等において好適に用いられるメガホンＡに適用したものである。
【００１８】
メガホンＡは、図２に示すように、単一の紙製シートＢを筒状に曲げ、メガホン本体１の一端側（図２における左側）に形成された差し込み用スリット１１に、他端側（図２における右側）に設けられた係合突片２をメガホン本体１の外面側から内面側に向かって挿入し、その後、当該係合突片２と差し込み用スリット１１の周縁部とを係わり合わせることにより、一端側と他端側とが接続した状態に保持され、図１に示すような組立完了状態（Ｋ）を採り得るものとなっている。換言すれば、メガホンＡは、図１に示すような組立完了状態（Ｋ）で使用者による使用に供され、使用前や使用後の不使用時には、図２に示すような展開状態（Ｔ）を採り得るものとなっている。
【００１９】
図２に示すように、展開状態（Ｔ）のメガホンＡは、いわゆる紙取りが良くなるよう、全体サイズが設定されている。より具体的には、例えば、大型サイズのものにおいては菊判の半裁に２丁、小型サイズのものにおいては四六判の半裁に４丁作ることができるように全体サイズが設定されている。
【００２０】
メガホンＡは、主として、差し込み用スリット１１を有したメガホン本体１と、このメガホン本体１に突設された係合突片２と、当該係合突片２とメガホン本体１との間に形成された引っ掛け用スリットＳと、前記メガホン本体１における後の開口部１３に延出して設けられた一対の延出片３とによって構成されている。
【００２１】
以下、メガホンＡの各構成について詳述する。
【００２２】
メガホン本体１は、図２に示すように、展開状態（Ｔ）において扇状をなしている。メガホン本体１は、図１に示すように、組立完了状態（Ｋ）において前の開口部１２が後の開口部１３よりも大きな円筒状をなしている。ここで、メガホンＡにおける前の開口部１２は、その開口度合いが声を好適に拡大できる大きさに設定されている。また、メガホンＡは、一般的なメガホンの形状と比べて、後の開口部１３の開口度合いを比較的大きく設定してあり、使用者の口にフィットしやすくしてある。
【００２３】
メガホン本体１は、その外面に印刷により任意の表示物Ｈを表示させるための印刷領域ｐｒを備えている。メガホン本体１は、一方の端縁ｅ１の近傍に係合突片２を挿通させるための差し込み用スリット１１を有している。メガホン本体１は、図２に明示しているように、紙目（紙製造時の流れ方向）ｍが、前後方向すなわち前の開口部１２と後の開口部１３との間を連通する方向に略沿うように構成されている。このようにすることで、一方の端縁ｅ１と他方の端縁ｅ２とを接続したときに、メガホン本体１の弾性変形力が過大に生じ難くなり、隙間が大きく形成されにくいようになっている。しかも、使用者は、展開状態（Ｔ）から組立完了状態（Ｋ）に遷移させる過程で、メガホン本体１を丸め易い。
【００２４】
メガホン本体１における差し込み用スリット１１は、第一のスリット構成部１１ａと、この第一のスリット１１ａよりも短寸に設定された第二のスリット構成部１１ｂとを備えている。第一のスリット構成部１１ａは、前の開口部１２と後の開口部１３との間を連通する方向（前の開口部１２と後の開口部１３とを繋ぐ方向）に沿って延びている。第一のスリット構成部１１ａの寸法ｗ２は、図３に示すように、係合突片２の幅寸法ｗ１よりも長い寸法に設定されている。第二のスリット構成部１１ｂは、第一のスリット構成部１１ａに連続して設けられ当該第一のスリット構成部１１ａの端部から一方の端縁ｅ１側に向かって延びてなるものである。この実施形態では、第二のスリット構成部１１ｂは、第一のスリット構成部１１ａに対して直交する方向に延びている。係合突片２とメガホン本体１との間に設けられた引っ掛け用スリットＳの基端部分ｓ１は、第二のスリット構成部１１ｂの周縁部と係わり合うように構成されている。
【００２５】
係合突片２は、メガホン本体１の他方の端縁ｅ２から外方に突出して設けられている。係合突片２は、他方の端縁ｅ２から連続して延びた突片本体２１と、この突片本体２１における後側の端縁２１ｅ（後の開口部１３側の端縁）から連続して延び突片本体２１に片持ち的に支持された片持ち片２２とを備えている。
【００２６】
片持ち片２２とメガホン本体１との間には、前後方向すなわち前の開口部１２と後の開口部１３との間を連通する方向に沿って延びる引っ掛け用スリットＳが形成されている。引っ掛け用スリットＳは、組立完了状態（Ｋ）において差し込み用スリット１１の周縁部と係わり合っている。
【００２７】
引っ掛け用スリットＳの基端部分ｓ１は、丸孔状に形成されている。この丸孔状に形成された基端部分ｓ１の周縁部は、差し込み用スリット１１における第二のスリット構成部１１ｂの周縁部と係わり合った際に、厚み方向に弾性変形し比較的大きな隙間を形成し得る。このため、引っ掛け用スリットＳの基端部分ｓ１は、第二のスリット構成部１１ｂにおける周縁部の紙の厚みに柔軟に追従し得るものとなっている。
【００２８】
延出片３は、メガホン本体１における後の開口部１３の開口端縁１３ｅに、対をなして設けられている。すなわち、延出片３は、後の開口部１３における上側の開口端縁１３ｅから延出した上延出片３ａと、後の開口部１３における下側の開口端縁１３ｅから延出した下延出片３ｂとによって構成されている。上延出片３ａ及び下延出片３ｂは、それぞれ開口端縁１３ｅからメガホン本体１の内部空間側に向かって折り曲げられている。延出片３は、メガホン本体１に対して折り返された弁の役割を担うものとなる。このため、使用者の声を拡大させるとともに使用者の声が漏れることを好適に抑制し得るものとなる。さらに、延出片３は、メガホン本体１と一体をなしているものであるため、後の開口部１３の周縁に紙の断裁面が露出し難くなる。このため、使用者の口及びその周辺部分を傷つけ難いものとなっている。
【００２９】
以上説明したように、本考案に係るメガホンＡは、単一の紙製シートＢによって形成されたものであり、展開状態（Ｔ）において扇状をなし、組立完了状態（Ｋ）において前の開口部１２が後の開口部１３よりも大きな円筒状をなし、且つ、一方の端縁ｅ１の近傍に差し込み用スリット１１を有したメガホン本体１と、メガホン本体１の他方の端縁ｅ２から外方に突出して設けられた係合突片２とを備えている。そして、係合突片２が、他方の端縁ｅ２から連続して延びた突片本体２１と、この突片本体２１における後側の端縁２１ｅから連続して延び突片本体２１に片持ち的に支持された片持ち片２２とを備えており、片持ち片２２とメガホン本体１との間に、引っ掛け用スリットＳが形成されている。このメガホンＡは、組立完了状態Ｋにおいて引っ掛け用スリットＳと差し込み用スリット１１の周縁部とが係わり合っている。このため、組み立て易く、且つ、組み立て状態が解かれ難い構造を有したメガホンＡを提供することができる。
【００３０】
つまり、係合突片２を差し込み用スリット１１に挿通し、しかる後に、引っ掛け用スリットＳを差し込み用スリット１１の周縁部に係わり合わせる操作を行えば、簡単にメガホン本体１における一方の端縁ｅ１と他方の端縁ｅ２とを接続することができるものとなっている。
【００３１】
引っ掛け用スリットＳを差し込み用スリット１１の周縁部に係わり合わせる操作は、係合突片２を差し込み用スリット１１に挿通した後で、メガホン本体１の他方の端縁ｅ２側を後の開口部１３側に向かってスライドするだけで完了する。このため、極めて簡易な操作で一方の端縁ｅ１と他方の端縁ｅ２とを接続する作業を完了することができるようになっている。
【００３２】
しかも、組立完了状態（Ｋ）における係合突片２の片持ち片２２は、差し込み用スリット１１から横方向に抜け難い位置に配されることになるため、通常の使用をしていても組立完了状態が保持され、係合突片２とメガホン本体１との係わり合いが解かれ難いものとなっている。
【００３３】
差し込み用スリット１１が、前の開口部１２と後の開口部１３との間を連通する方向に沿って延びるとともに係合突片２の幅寸法ｗ１と略同じ寸法ｗ２、或いは、係合突片２の幅寸法ｗ１よりも若干長い寸法ｗ２に設定された第一のスリット構成部１１ａと、この第一のスリット構成部１１ａに連続して設けられ当該第一のスリット構成部１１ａの端部から前記一方の端縁ｅ１側に向かって延びた第二のスリット構成部１１ｂとを備えており、前記引っ掛け用スリットＳの基端部分ｓ１が、前記第二のスリット構成部１１ｂの周縁部と係わり合うように構成されている。このため、係合突片２と差し込み用スリット１１との係わり合いが、紙の厚み寸法に影響されることなく好適に行われるものとなる。
【００３４】
引っ掛け用スリットＳの基端部分ｓ１が、丸孔状に形成されている。このため、引っ掛け用スリットＳの基端部分ｓ１が、第二のスリット構成部１１ｂにおける周縁部の紙の厚み寸法に柔軟に追従し得るため、係合突片２と差し込み用スリット１１との係わり合いが好適に行われるものとなる。
【００３５】
なお、図６及び図７に示すように、引っ掛けスリットＳの基端部分ｓ１は、組立完了状態（Ｋ）において、第二のスリット構成部１１ｂの寸法分揺動し得るものとなっている。このため、係合突片２とメガホン本体１との接続部分に過度に応力が集中することがなく、使用中に係合突片２がメガホン本体１に対して破断することを好適に抑制することができるものとなっている。
【００３６】
メガホン本体１が、外面に印刷により表示物Ｈを表示させるための印刷領域ｐｒを備えている。このため、広告宣伝等の表示物Ｈを表示させ得るものとなり付加価値の高いメガホンＡを提供することができる。
【００３７】
メガホン本体１における後の開口部１３の開口端縁１３ｅに、対をなす延出片３が設けられている。このため、紙の断裁面を露出させることを回避することができ、使用者の口や口の周囲を傷つけないものとすることができる。しかも、延出片３によって使用者の声が後方に向かって拡散し難いものとなるため、後の開口部１３の周縁から漏れにくいものとなる。さらに、延出片３は、後の開口部１３の開口端縁１３ｅからメガホン本体１の内部空間側に向かって折り曲げられた態様をなしているため、当該延出片３がメガホン本体１と協働してリブ的な役割を担い、持ち手部分となるメガホン本体１における後の開口部１３付近の強度を向上させるものとなっている。
【００３８】
メガホン本体１における紙目ｍが、前の開口部１２と後の開口部１３との間を連通する方向に沿って延びるように設定されている。このため、円筒形状を形成するべく紙製シートＢを所望の方向に曲げやすいようになっている。
【００３９】
なお、本考案は、以上に詳述した実施形態に限られるものではない。
【００４０】
例えば、紙製シートは、種々のものを適用することができ、厚み寸法等は適宜設定されるものである。紙製シートは、ＰＰ加工を施したものであってもよい。
【００４１】
その他、各部の具体的構成についても上記実施形態に限られるものではなく、本考案の趣旨を逸脱しない範囲で種々変形が可能である。
【符号の説明】
【００４２】
Ａ…メガホン
１…メガホン本体
２…係合突片
３…延出片
Ｓ…引っ掛け用スリット
【図１】
0003201633.tif 000003
【図２】
0003201633.tif 000004
【図３】
0003201633.tif 000005
【図４】
0003201633.tif 000006
【図５】
0003201633.tif 000007
【図６】
0003201633.tif 000008
【図７】
0003201633.tif 000009